(57)【要約】【課題】  さまざまな種類の操作ロック錠に対応し、かつ、外形が大きくならない開閉器の外部操作ハンドルを得る。【解決手段】  回動式ハンドル部３の部分に出し入れできるように装着されると共に、引き出したとき回動式ハンドル部３の回動が阻止され、かつ、引き出された部分に操作ロック錠を取り付けるロック孔を有するロックプレートを備えたものにおいて、ロックプレート４，５，６は、個別に出し入れできるように複数枚併設されると共に、引き出しするロックプレート４，５，６の選択により、大きさあるいは形状が異なる操作ロック錠が取り付けできるように構成したものである。【選択図】  図１
2007066791.tif 000002
【特許請求の範囲】
【請求項１】
制御盤などに組込まれた開閉器の開閉用とってに係合して、上記制御盤の前面から回動式ハンドル部による手動操作により上記開閉器を開閉するように構成されたものであり、上記回動式ハンドル部に出し入れできるように装着されると共に、引き出したとき上記回動式ハンドル部の回動が阻止され、かつ、引き出された部分に操作ロック錠を取り付けるロック孔を有するロックプレートを備えた開閉器の外部操作ハンドルにおいて、上記ロックプレートは、個別に出し入れできるように複数枚併設されると共に、引き出しするロックプレートの選択により、大きさあるいは形状が異なる操作ロック錠が取り付けできるようにしたことを特徴とする開閉器の外部操作ハンドル。
【請求項２】
複数枚のロックプレートのロック孔を、それぞれ異なる形状あるいは大きさの孔にしたことを特徴とする請求項１に記載の開閉器の外部操作ハンドル。
【請求項３】
引き出されていないロックプレートの端面がロック孔の一部を成すように構成されていることを特徴とする請求項１に記載の開閉器の外部操作ハンドル。
【請求項４】
ロックプレートを通常時の位置に引き込まれた状態に保持するための保持ばねを備えるものにおいて、複数枚のロックプレートに対する上記の保持を１個の保持ばねにより行うようにしたことを特徴とする請求項１〜３項のいずれか１項に記載の開閉器の外部操作ハンドル。
【発明の詳細な説明】
【技術分野】
【０００１】
この発明は、制御盤などに組込まれた配線用遮断器や漏電遮断器などの開閉器を盤の前面外側から操作する外部操作ハンドルに関し、詳しくは外部操作ハンドルの操作ロック機構に関するものである。
【背景技術】
【０００２】
開閉器によって電路の開閉を行った際に、その電路の開（ＯＦＦ）もしくは閉（ＯＮ）状態を保持させるために、その開閉器の開閉用とってに、例えばとってロック装置などを装着して、開閉器の操作を拘束することが知られている。これは、例えば、開状態に拘束して、開閉器の負荷側の点検作業の安全確保や、閉状態に拘束して、重要回路が遮断されないように給電の確保に用いられる。一方、外部操作ハンドルとしては、開閉器を例えば制御盤などに設置した場合では、配線の都合上、盤の奥側に開閉器が収納されて、開閉用とってが盤の前面に露出しない構成になる場合がある。このような構成の場合には、外部操作ハンドルを開閉器自体に付加して盤の前面外側から操作できるようになされる。また、制御盤の前面が扉になっている制御盤の場合には、その扉に外部操作ハンドルを設け、扉を閉じたとき開閉器の開閉用とってに外部操作ハンドルが係合して操作できるようになされる構成のものなどが知られている。
【０００３】
上記のように外部操作ハンドルが装着された場合でも、その開閉器の操作を拘束する必要があることは言うまでもない。一般的には、外部操作ハンドルは手動操作できるようになされた回動式ハンドル部を備えている。従って、その回動式ハンドル部の部分に出し入れできるようにロックプレートが装着されると共に、そのロックプレートは、引き出したとき上記回動式ハンドル部の回動が阻止され、かつ、引き出された部分に操作ロック錠（例えば南京錠）を取り付けるためのロック孔が設けられている。即ち、このロックプレートのロック孔に操作ロック錠を取り付けて開閉器の操作を拘束するようになされた構成のものが知られている（例えば、特許文献１参照。）。
また、ロックプレートを用いない手段として、回動しないボディ部にロック用の孔を設け、この孔に南京錠の施錠杆を通すことにより、通した南京錠の施錠杆にとって部が係合してとって部の回動を阻止させることも知られている（例えば、特許文献２参照。）。
【０００４】
【特許文献１】特開２００２−２５４１１号公報（第４頁右欄第３５行〜第４２行）
【特許文献２】特開平９−２７２６２号公報（第３頁左欄第３６行〜第５０行）
【発明の開示】
【発明が解決しようとする課題】
【０００５】
ところで、操作ロック錠として一般的に用いられる南京錠は、その施錠杆の直径が従来５〜８ｍｍであるが、近年は３〜１０ｍｍと大きさ形状などに多様性が高まっている。さらには、ロックアウトデバイスと称する海外製の板厚２ｍｍのロック錠（例えば特願２００４−３３１８６６号において図４に示されたような装置）も、特に海外規格準拠の要求に応じて使用されるケースが増えつつある。従って、製造者側としては、使用者側が定めた操作ロック錠に適合するロックプレートを備えた外部操作ハンドルを供給しなければならない場合が増加している。この対応のためにはロックプレート、あるいはボディ部に設ける孔を、この孔に通す部材（施錠杆や板状のデバイス）に合わせ、多種類用意しておけばよいが、外部操作ハンドルそのものの種類の繁雑さや、それに伴うコストアップが容易に予想され現実的ではない。特に、対応のためのロックプレートなど部品の差異は僅かであり、完成した開閉器の外部操作ハンドルでは外観上の差異は区別が困難であるため、製造者側にとって誤組立や誤発送を生じることがある。
【０００６】
現実的な対応策としては、上述した孔を一番大きい操作ロック錠（例えば直径１０ｍｍ）に合わせることになるが、仮に小さい南京錠（例えば直径３ｍｍ）でロックしようとすると、特許文献１におけるロックプレートの場合ではこのロックプレートの移動代が大きくなり、とって部の回動の阻止が保てなくなる。これを防ぐためには、ロックプレートの移動代が大きいままでもよいように、掛かり代、即ち、ロックプレートとハンドルベースの係止部の距離を増やすことになるが、このような構成によればロックプレートの半径方向の長さの増大、ひいてはこの長くなったロックプレートの収納のために外部操作ハンドルの外形が大きくなってしまい得策ではない。
【０００７】
なお、特許文献２に示された構成では、操作ロック錠についてある程度の柔軟性はあるものと推察されるが、そもそも、施錠杆を通すためのフェンスをボディ部に設けていることから、やはり外形が大きくなるなど問題は避けることができない。
【０００８】
この発明は、上述のような課題を解決するためになされたもので、さまざまな種類の操作ロック錠に対応し、かつ、外形が大きくならない開閉器の外部操作ハンドルを得ることを目的とするものである。
【課題を解決するための手段】
【０００９】
この発明の開閉器の外部操作ハンドルは、上記の目的を達成するために、制御盤の前面から回動式ハンドル部による手動操作により開閉器を開閉操作するように構成されたものであって、上記回動式ハンドル部に出し入れできるように装着されると共に、引き出したとき上記回動式ハンドル部の回動が阻止され、かつ、引き出された部分に操作ロック錠を取り付けるロック孔を有するロックプレートを備えたものにおいて、上記ロックプレートは、個別に出し入れできるように複数枚併設されると共に、引き出しするロックプレートの選択により、大きさあるいは形状が異なる操作ロック錠が取り付けできるように構成したものである。
【発明の効果】
【００１０】
この発明は以上説明したように、使用者側にとって使い勝手が良く、また、製造者側にとって誤組立や誤発送の問題も解消された開閉器の外部操作ハンドルを提供できる。
【発明を実施するための最良の形態】
【００１１】
実施の形態１．
図１はこの発明の実施の形態１における、外部操作ハンドルを開閉器１に取り付けた斜視図であり開（ＯＦＦ）状態を示す。図２はハンドルベースの斜視図、図３は回動式ハンドル部とロックプレートの斜視図であり、それぞれ、図２は図１における矢印Ａ方向から、図３は図１における矢印Ｂ方向から見たものである。なお、図３では、説明をわかり易くするため、併設された３枚のロックプレートの内、第２のロックプレート５を引き出した状態を示す。図４〜図６は、３枚のロックプレートを個別に引き出した状態を説明するもので、それぞれ正面図（ａ）と下面図（ｂ）が図示されている。即ち、図４は第１のロックプレート４を引き出した状態を示す。図５は第２のロックプレート５を引き出した状態を示す。図６は第３のロックプレート６を引き出した状態を示す。
【００１２】
以下、上記の図面に基づいて詳細に説明する。即ち、図１において、起倒形の開閉用とって（図示せず）を有する開閉器１にハンドルベース２が固着されており、このハンドルベース２の軸孔２ａ（図２参照）に回動式ハンドル部３が回動自在に装着されている。この回動式ハンドル部３を手動で回動することにより、アクチュエータ（図示せず）を介して開閉用とってに連結された開閉器１の開閉操作が行われる。具体的には、回動式ハンドル部３を紙面上で時計方向にほぼ９０度回動することにより、開（以下、ＯＦＦと称す）状態から閉（以下、ＯＮと称す）状態へ移行する。なお回動式ハンドル部３には、第１のロックプレート４、第２のロックプレート５、第３のロックプレート６からなる３枚のロックプレートが出し入れできるように併設されている。
【００１３】
ハンドルベース２の背面側は図２に示すように、ＯＦＦ用突起受け２ｂ、およびＯＮ用突起受け２ｃが設けられている。一方、図３に示すように、各々のロックプレート４〜６には、突起４ａ〜６ａが設けられている。このロックプレート４〜６について、図１に示すＯＦＦ状態から、例えば、第２のロックプレート５を、半径方向外側に引き出すと、突起５ａの部分が、ロック区画Ｒ１の部分に嵌まり込むようになされている。突起５ａの部分が、ロック区画Ｒ１の部分に嵌まった状態で、回動式ハンドル部３をＯＮ方向（時計方向）に回動しようとするとＯＦＦ用突起受け２ｂに突起５ａが係合する。この状態、即ち、図５に示す状態では、上述の係合により、回動式ハンドル部３のＯＮ方向（時計方向）への回動が阻止されることになる。従って、図５（ｂ）からも明らかなように第２のロックプレート５のロック孔５ｂに、南京錠（図示せず）などの操作ロック錠を取り付けることで、第２のロックプレート５の半径方向内側への復帰（図１に相当）が阻止されて、外部操作ハンドル取り付け時の、いわゆるＯＦＦロック装置が構築されることになる。
【００１４】
次に回動式ハンドル部３がＯＮ状態から、例えば、第２のロックプレート５を、半径方向外側に引き出すと、突起５ａの部分が、ロック区画Ｒ２の部分に嵌まり込むようになされている。突起５ａの部分が、ロック区画Ｒ２の部分に嵌まった状態で、回動式ハンドル部３をＯＦＦ方向（反時計方向）に回動しようとするとＯＮ用突起受け２ｃに突起５ａが係合する。この係合により、回動式ハンドル部３のＯＦＦ方向（反時計方向）への回動が阻止されることになる。第２のロックプレート５のロック孔５ｂに、南京錠（図示せず）などの操作ロック錠を取り付けることで、第２のロックプレート５の半径方向内側への復帰）が阻止されて、外部操作ハンドル取り付け時の、いわゆるＯＮロック装置が構築されることになる。
【００１５】
なお、図２において、ロック区画Ｒ１およびロック区画Ｒ２と相対する部分にロック区画が示されている。このロック区画は、開閉器１の取り付け姿勢が図１の取り付け姿勢と異なるとき（例えば、開閉器１が横向きになるとき）使用されるものであるが、本発明の主旨には関係がないので説明を省略する。
【００１６】
上記の構成において、ロックプレート４〜６には、それぞれ保持ばね４ｃ，５ｃ，６ｃが設けてあり、この保持ばね４ｃ，５ｃ，６ｃにより、ロックプレート４〜６は常時引き込み保持されている。従って、ロックプレート４〜６は必要なものを指先で把持して引き出しするが、この保持ばね４ｃ，５ｃ，６ｃがあるために、指先を離すとロックプレート４〜６は保持ばね４ｃ，５ｃ，６ｃにより引き込まれて操作ロック錠の取り付けができなくなる。このため、仮止め突起２ｄ，２ｅを設けてロックプレート４〜６を引き出した状態を仮止めし、その状態で操作ロック錠を取り付けるようになされている。
【００１７】
上記のロックプレート４〜６において、図４〜図６を比べれば明らかなように、ロック孔４ｂ〜６ｂの形状はそれぞれ異なっている。これは、異種の操作ロック錠に対処するためであって、具体的には、図４に示す第１のロックプレート４のロック孔４ｂには、施錠杆が直径８ｍｍ以上の大きな南京錠が適合し、図５に示す第２のロックプレート５のロック孔５ｂには、施錠杆が直径６ｍｍ以下の小さな南京錠が適合し、また、図６に示すロックプレート６のロック孔６ｂには、板厚３ｍｍ程度のロックアウトデバイスが適合し、そのいずれか選択して取り付けることができる。この南京錠あるいはロックアウトデバイスなどの操作ロック錠の取り付けにより、ロックプレート４〜６が引き出された状態が維持される。従って、使用者側において、使用する操作ロック錠に応じて引き出しするロックプレートの選択により、大きさあるいは形状が異なる操作ロック錠が取り付けできる。なお、図５に示すロック孔５ｂは、南京錠の取り付け位置も規制できる例である。これは、特に複数の南京錠、即ち、複数の電気管理者の同意の上で、電路のＯＮ（またはＯＦＦ）操作を決定させるのに効果を発揮する。
【００１８】
このように、ロック孔の形状が異なる３枚のロックプレート４〜６を具備するだけで、さまざまな種類の操作ロック錠に対応できる外部操作ハンドルを提供することができる。この開閉器の外部操作ハンドルによれば、使用者側にとって電路の状態管理に対する安全性の向上が期待できる。また、製造者側にとって誤組立や誤発送の問題も解消される。
なお、ロック孔４ｂ〜６ｂの形状を、用途に応じて変更しても、本発明の範囲を逸脱することにはならない。また、ロックプレートの枚数については、本実施の形態では３枚として説明したが、この３枚に限定される訳ではなく、２枚、あるいは４枚以上にすることも可能であるが、ロックプレートに求められる強度（例えば板厚）、およびロックプレートの枚数増加に伴う、ロックプレートの突起と突起受け２ｂ（または２ｃ）の係合位置の変化による回動式ハンドル部の位置ズレを考慮した場合、ロックプレートの枚数は３枚程度が好ましい。
【００１９】
実施の形態２．
実施の形態１では、ロック孔４ｂ〜６ｂの形状が異なるもので説明したが、この複数のロック孔の形状を同じにしたものを実施の形態２として説明する。なお、図７はこの発明の実施の形態２における図１相当図、図８〜図１０は、図７の開閉器の外部操作ハンドルにおいて、選択したロックプレートを引き出した状態を示した図であり、それぞれ図８は第４のロックプレート８および第６のロックプレート１０の２枚が引き出されている。図９は第５のロックプレート９が１枚引き出されている。図１０においては第４のロックプレート８、第５のロックプレート９、および第６のロックプレート１０の３枚が引き出されている。
【００２０】
この実施の形態２の特徴は、回動式ハンドル部３の回動中、すなわち、図７に示すように、ロックプレートが引き出されていない状態では、第４のロックプレート８、第５のロックプレート９、第６のロックプレート１０のそれぞれの端面８ｃ、９ｃ、１０ｃが不一致、つまり端面９ｃのみが突出していると共に、図８および図１０からもわかるように、引き出すロックプレートが複数のときもあるという使用状態にある。また、上述した通り、図１０はすべてのロックプレートを引き出した状態であるが、図に示す通り、３枚のロックプレートのロック孔８ｂ，９ｂ，１０ｃの形状は同じである。
【００２１】
図７に示すように、操作ロック錠の装着前では、第４のロックプレート８、第５のロックプレート９、第６のロックプレート１０のうち、第５のロックプレート９だけが、半径方向外側に少しだけスライドした状態に付勢されている。この状態から、図８に示すように、第４のロックプレート８および第６のロックプレート１０を所定位置、即ち、実施の形態１で説明した、突起８ａおよび１０ａ（いずれも図示せず）をＯＦＦ用突起受け２ｂ（図２参照）に係合させる位置までスライドさせると、図８から明らかなように、ロック孔８ｂおよび１０ｂが第５のロックプレート９により、半分以上が隠された状態となる。つまり、端面９ｃにより新たなロック孔が形成されることになり、例えば、施錠杆の小さい南京錠を装着することが可能となる。
【００２２】
南京錠の施錠杆がより大きいときには、図９に示すように、第５のロックプレート９だけを所定位置にスライドさせると、図９のように、端面８ｃおよび１０ｃにより、より大きなロック孔が形成される。また、図１０に示すように、全てのロックプレートを引き出すと、図のように、さらに大きなロック孔が形成され、例えば、流通頻度の最も高い南京錠の装着に相応しい。
【００２３】
このように、複数枚あるロックプレートを共用化したので、実施の形態１で述べた効果に加え、特に製造者側にとって、誤組立を排除できるとともに、製造コストを削減できるという顕著な効果が期待できる。
【００２４】
実施の形態３．
実施の形態１および２では詳述しなかったが、各々のロックプレートを回動式ハンドル部３に嵌挿する際、これらロックプレートを通常時の位置（図１または図７に示す位置）に付勢する付勢手段（図２に示す保持ばね４ｃ，５ｃ，６ｃ）がロックプレート毎に具備されることになるが、この付勢手段を簡略化したものを実施の形態３として説明する。なお、図１１はこの実施の形態３における断面図であり、図３（実施の形態１）においてＣ方向から見た図に相当する。また、図１２は、同様に、ロックプレートと付勢手段の関係を示す斜視図であり、図３において回動式ハンドル部３を省略した図に相当する。
【００２５】
図１１において、付勢手段である1個の保持ばね１１の一端はロックプレート８〜１０の足部８ｄ，９ｄ，１０ｄに、他端はハンドルベース２に設けた壁部２ｆ（図１２参照、なお図２には記載せず）に当接してロックプレート８〜１０を付勢しており、従って、突起８ａ〜１０ａ（図１２参照）はロック区画Ｒ１（図２参照）から遠ざかった状態、即ち常時引き込み保持された状態にあるのは、これまでの説明からも明らかである。
【００２６】
上記構成において、例えば、操作ロック錠を装着するために、第５のロックプレート９を所定位置にスライドさせた場合、当然の如く、他の第４のロックプレート８および第６のロックプレート１０の付勢は失われるが、そもそも、この付勢喪失に至る過程において、操作ロック錠の装着、即ち、回動式ハンドル部３の回動は有り得ないので、他の第４のロックプレート８および第６のロックプレート１０に対する、これ以上の付勢は不必要である。したがって、ロックプレート毎に付勢手段を具備することに比べ、例えばコイルばね１個で済むので、組立が容易であるとともに、製造コストを削減することが可能となる。
【図面の簡単な説明】
【００２７】
【図１】この発明の実施の形態１における外部操作ハンドルを開閉器に取り付けた斜視図である。
【図２】図１におけるＡ方向から見たハンドルベースの斜視図である。
【図３】図１におけるＢ方向から見た回動式ハンドル部とロックプレートの斜視図である。
【図４】図１における第１のロックプレート４を引き出した状態の正面図と下面図である。
【図５】図１における第2のロックプレート５を引き出した状態の正面図と下面図である。
【図６】図１における第3のロックプレート６を引き出した状態の正面図と下面図である。
【図７】この発明の実施の形態２における外部操作ハンドルを開閉器に取り付けた斜視図である。
【図８】図７における第４のロックプレート８および第６のロックプレート１０を引き出した状態の正面図と下面図である。
【図９】図７における第５のロックプレート９を引き出した状態の正面図と下面図である。
【図１０】図７における第４のロックプレート８、第５のロックプレート９、および第６のロックプレート１０を引き出した状態の正面図と下面図である。
【図１１】この発明の実施の形態３におけるロックプレートを回動式ハンドル部に取り付けた断面図である。
【図１２】図１１におけるロックプレートと保持ばねの斜視図である。
【符号の説明】
【００２８】
１  開閉器
２  ハンドルベース
２ａ  軸孔
２ｂ  ＯＦＦ用突起受け、
３  回動式ハンドル部
４  第1のロックプレート
５  第２のロックプレート
６  第３のロックプレート
４ａ，５ａ，６ａ  突起
４ｂ，５ｂ，６ｂ  ロック孔
１１  保持ばね
【図１】
2007066791.tif 000003
【図２】
2007066791.tif 000004
【図３】
2007066791.tif 000005
【図４】
2007066791.tif 000006
【図５】
2007066791.tif 000007
【図６】
2007066791.tif 000008
【図７】
2007066791.tif 000009
【図８】
2007066791.tif 000010
【図９】
2007066791.tif 000011
【図１０】
2007066791.tif 000012
【図１１】
2007066791.tif 000013
【図１２】
2007066791.tif 000014